(57)【要約】【課題】乗物用シートの構成部品が乗物ボデーに対して離隔したり近接したりする動きをする乗物用シートにおいて、見栄えと取付け作業性の両立を図った隙間隠し構造を備えた乗物用シートを提供する。【解決手段】シートバック２０は、パーテショントリム４１に対して変位可能に形成され、シートバック２０とパーテショントリム４１との間に形成される隙間４２を覆い隠すボード部材３０を備えている。ボード部材３０は、可撓性のある板状部材でシートバック２０に対し縫製ライン３５でヒンジ連結され、パーテショントリム４１に後端部３０ｂが当接して摺動することにより縫製ライン３５を中心に自重で回動する。ボード部材３０は、シートバック２０がパーテショントリム４１に対して離隔した状態において展開して隙間４２を覆い、近接した状態においてシートバック２０の側へ畳まれる。【選択図】図４
2018103642.tif 000002
【特許請求の範囲】
【請求項１】
乗物用シートであって、
該乗物用シートはその構成部品が乗物ボデーに対して変位が可能に形成されて前記構成部品と乗物ボデーとの間に形成される隙間を覆い隠すボード部材を備えており、
該ボード部材は、可撓性のある板状部材で前記構成部品と前記乗物ボデーとの間に配置され、前記構成部品又は前記乗物ボデーにヒンジ連結される取付部と、該取付部を中心として自重で回動することにより前記乗物ボデー又は前記構成部品に当接し前記構成部品の前記変位に応じて摺動可能とされる摺動部と、を有し、
前記ボード部材は、前記構成部品が前記乗物ボデーに対して離隔した状態において展開して前記隙間を覆い隠し、前記構成部品が前記乗物ボデーに対して近接した状態において前記構成部品の側へ畳まれる乗物用シート。
【請求項２】
請求項１において、前記ボード部材は、樹脂製の板材が表皮材によって覆われた状態として構成されている乗物用シート。
【請求項３】
請求項２において、前記構成部品は前記乗物ボデーに対して傾動可能なシートバックであって、
前記ボード部材は前記シートバックの上部と前記乗物ボデーとの間に形成される隙間を覆い隠すものであり、
前記取付部は前記シートバックの背面の表皮に対して前記ボード部材を覆う表皮材の一端部側が縫製によりヒンジ連結されることによって形成されており、
前記摺動部は前記ボード部材を覆う表皮材の他端部側が前記乗物ボデーに対して摺動するように形成されている乗物用シート。
【請求項４】
請求項３において、前記シートバックの上部の背面の水平断面は着座面と反対側方向に向かって凸形状とされており、
前記ボード部材は前記シートバックの背面に対して重なるように近接した際、前記凸形状に沿って湾曲するように構成されている乗物用シート。
【請求項５】
請求項１ないし請求項４のいずれか１項において、前記ボード部材は展開する方向に回動付勢されている乗物用シート。
【発明の詳細な説明】
【技術分野】
【０００１】
本発明は、乗物用シートに関する。
【背景技術】
【０００２】
乗物ボデーに取付けられた乗物用シートの構成部品である乗物用シート部品が、乗物ボデーに対して離隔したり近接したりする動きをする場合、乗物用シート部品と乗物ボデーとの間に形成される隙間を外部から見えないように覆い隠す構造が知られている。図９に示す従来の自動車用リアシートのシートバック１００においては、車室と荷室を隔てるパーテションパネル１１０とシートバック１００の上部との隙間を覆い隠す隙隠しカバー１２０が取付けられている。詳しくは、シートバック１００は、自動車ボデーに対して前後方向にリクライニング動作可能に取付けられている。実線で示すシートバック１００の傾き角度が標準位置にある場合において、隙隠しカバー１２０の前端部は、プレート１２１を介してクリップ１２２によってシートバック１００の上部に固定されている。隙隠しカバー１２０の後端部は、所定のたるみを有してプレート１２１を介してクリップ１２２によってパーテションパネル１１０に固定されている。そして、二点鎖線で示すように、シートバック１００を標準位置から前傾させると隙隠しカバー１２０はシートバック１００の上部とパーテションパネル１１０との間に展開される。また、図示はしないがシートバック１００を標準位置から後傾させてその後面をパーテションパネル１１０に当接させたとき、隙隠しカバー１２０はシートバック１００とパーテションパネル１１０との間に折畳まれる。これによって、シートバック１００の上部とパーテションパネル１１０との間に形成される隙間の下方内部が外部から見えないように隙隠しカバー１２０で覆い隠されるようになっている。また、特許文献１には、シートクッションとフロアとの間で形成される隙間を覆い隠す類似の技術が開示されている。
【先行技術文献】
【特許文献】
【０００３】
【特許文献１】特開２０１４−９１３７１号公報
【発明の概要】
【発明が解決しようとする課題】
【０００４】
上述の従来技術においては、隙隠しカバー１２０の端部をシートバック１００とパーテションパネル１１０の双方に固定しなければならない。見栄えよく取付けようと思うと、外部から見えにくい部分に固定箇所を配置する必要があるため取付け作業性が悪くなり、取付け作業性を優先すれば見栄えの悪化を招いて、見栄えと取付け作業性の両立が難しいという問題があった。
【０００５】
このような問題に鑑み本発明の課題は、乗物用シートの構成部品が乗物ボデーに対して離隔したり近接したりする動きをする乗物用シートにおいて、見栄えと取付け作業性の両立を図った隙間隠し構造を備えた乗物用シートを提供することにある。
【課題を解決するための手段】
【０００６】
本発明の第１発明は、乗物用シートであって、該乗物用シートはその構成部品が乗物ボデーに対して変位が可能に形成されて前記構成部品と乗物ボデーとの間に形成される隙間を覆い隠すボード部材を備えており、該ボード部材は、可撓性のある板状部材で前記構成部品と前記乗物ボデーとの間に配置され、前記構成部品又は前記乗物ボデーにヒンジ連結される取付部と、該取付部を中心として自重で回動することにより前記乗物ボデー又は前記構成部品に当接し前記構成部品の前記変位に応じて摺動可能とされる摺動部と、を有し、前記ボード部材は、前記構成部品が前記乗物ボデーに対して離隔した状態において展開して前記隙間を覆い隠し、前記構成部品が前記乗物ボデーに対して近接した状態において前記構成部品の側へ畳まれることを特徴とする。
【０００７】
第１発明によれば、構成部品が乗物ボデーに対して変位するとき、ボード部材は摺動部が乗物ボデー又は構成部品に沿って摺動することによって取付部を中心に回動し、常に構成部品と乗物ボデーとの間に形成される隙間を覆って隠すことができる。また、ボード部材の乗物ボデーへの取付けは、取付部を構成部品又は乗物ボデーに取付けるとともに、摺動部を乗物ボデー又は構成部品に当接させた状態で構成部品を乗物ボデーに対して取付ければよいので取付け作業性がよい。これによって、見栄えと取付け作業性の両立を図った隙間隠し構造を備えた乗物用シートが提供可能となる。なお、「乗物ボデー」には乗物ボデーに取付けられたトリム部材等他の部品が取付けられた状態も含まれるものとする。
【０００８】
本発明の第２発明は、上記第１発明において、前記ボード部材は、樹脂製の板材が表皮材によって覆われた状態として構成されていることを特徴とする。
【０００９】
第２発明によれば、ボード部材を軽量で見栄えよく形成できる。
【００１０】
本発明の第３発明は、上記第２発明において、前記構成部品は前記乗物ボデーに対して傾動可能なシートバックであって、前記ボード部材は前記シートバックの上部と前記乗物ボデーとの間に形成される隙間を覆い隠すものであり、前記取付部は前記シートバックの背面の表皮に対して前記ボード部材を覆う表皮材の一端部側が縫製によりヒンジ連結されることによって形成されており、前記摺動部は前記ボード部材を覆う表皮材の他端部側が前記乗物ボデーに対して摺動するように形成されていることを特徴とする。
【００１１】
第３発明によれば、ボード部材は、シートバックの背面に取付けられた取付部を中心に自重でヒンジ回転して、摺動部がシートバックの傾動に応じて乗物ボデーの上部の表面に沿って摺動する。これによって、シートバックの上部と乗物ボデーとの間に形成される隙間はシートバックの傾き角度が変化してもボード部材によって覆い隠され内部構造が見えないので見栄えがよい。取付部は、シートバックの背面の表皮に対してボード部材を覆う表皮材の一端部側が縫製によりヒンジ連結されているので別部品を使用する必要がなく簡潔軽量な構造である。また、乗物ボデーにシートバックを取付けるときシートバックの背面にボード部材を取付けた状態で摺動部を乗物ボデーの上部に当接させて取付ければよいので取付け作業性がよい。
【００１２】
本発明の第４発明は、上記第３発明において、前記シートバックの上部の背面の水平断面は着座面と反対側方向に向かって凸形状とされており、前記ボード部材は前記シートバックの背面に対して重なるように近接した際、前記凸形状に沿って湾曲するように構成されていることを特徴とする。
【００１３】
第４発明によれば、シートバックが傾動して乗物ボデーに対して重なるように近接した際、ボード部材がシートバックの背面の凸形状に沿って湾曲する。これによって、シートバックの上部と乗物ボデーとの間に形成される隙間が効率よく隠され見栄えが向上する。
【００１４】
本発明の第５発明は、上記第１発明ないし上記第４発明のいずれかにおいて、前記ボード部材は展開する方向に回動付勢されていることを特徴とする。
【００１５】
第５発明によれば、ボード部材の摺動部が構成部品又は乗物ボデーに当接しやすくなるので、構成部品が乗物ボデーに対して変位する過程で隙間を隠した状態で摺動して見栄えのよさが安定して得られる。
【図面の簡単な説明】
【００１６】
【図１】本発明の一実施形態の自動車用リアシートを斜め前方から見た斜視図である。
【図２】上記実施形態の自動車用リアシートのシートバックを斜め後方から見た斜視図である。
【図３】上記実施形態の自動車用リアシートのシートバック上部にボード部材を取付けた状態を示す斜め後方から見た斜視図である。
【図４】図１のＩＶ−ＩＶ線で切断して示す断面図である。シートバックの傾き角度が標準位置にある状態を示す。
【図５】図４のＶ部分を拡大して示す断面図である。
【図６】図４において、シートバックの後傾角度が最も小さい状態を示す断面図である。
【図７】図４において、シートバックの後傾角度が最も大きい状態を示す断面図である。
【図８】図７のＶＩＩＩ−ＶＩＩＩ線で切断して示す断面図である。
【図９】従来の隙隠しカバーの取付け構造を示す図４に対応する断面図である。
【発明を実施するための形態】
【００１７】
図１〜図８は、本発明の一実施形態を示す。この実施形態は、自動車用リアシート１に本発明を適用した例を示す。各図中、矢印により自動車用リアシート１を自動車に取付けたときの自動車及び自動車用リアシート１の各方向を示している。以下の説明において、方向に関する記述は、この方向を基準として行うものとする。本実施形態の自動車用リアシート１は、着座乗員の着座部となるシートクッション１０と、着座乗員の背凭れとなるシートバック２０と、シートバック２０の上部後面（背面）に取付けられた隙間隠し用のボード部材３０と、を備えている。シートバック２０の上部にはヘッドレストが取付けられるが、本発明に直接の関係がないため省略している。ここで、自動車用リアシート１とシートバック２０が、それぞれ、特許請求の範囲の「乗物用シート」と「構成部品」に相当する。
【００１８】
図１に示すように、シートクッション１０は、骨格を成すクッションフレーム１１と、クッション材であるクッションパッド１２と、表皮材であるクッションカバー１３と、を備えている。クッションフレーム１１は、自動車ボデーに対し前後方向に移動可能にスライドレール（図示せず）を介して配設されている。シートバック２０は、骨格を成すバックフレーム２１と、クッション材であるバックパッド２２と、表皮材であるバックカバー２３と、を備えている。バックフレーム２１は、リンク機構（図示せず）を介してクッションフレーム１１に連結されており、クッションフレーム１１を後方に移動するとバックフレーム２１が前傾し、クッションフレーム１１を前方に移動するとバックフレーム２１が後傾するように構成されている。すなわち、バックフレーム２１は、自動車ボデーに対し傾動可能に取付けられている。この機構は、特開２０１０−２４６５９９号公報に開示されるものと同等で、公知の構成のものであるので詳しい説明を省略する。
【００１９】
図１〜図５に示すように、シートバック２０のバックカバー２３は、装飾材としての表皮２３ａと、カバーパッド２３ｂと、裏基布２３ｃと、がこの順序で積層されラミネートされた面状体からなる複数のパーツを縫製して一体化したものである。本実施形態では、表皮２３ａとして本革を使用しているが、本革に限らずファブリックや合成皮革等を使用することもできる。バックカバー２３は、天板部においては、天板メイン上部２３Ａ、天板メイン下部２３Ｂ、左右の天板サイド上部２３Ｃ、左右の天板サイド下部２３Ｄ、カマチ部２３Ｅ、バック上部２３Ｆ等のパーツが縫製で一体化されて形成されている。天板メイン上部２３Ａ及び天板メイン下部２３Ｂは、着座乗員の上体部の背面部に当接する部分である。また、左右の天板サイド上部２３Ｃ及び左右の天板サイド下部２３Ｄは、天板メイン上部２３Ａ及び天板メイン下部２３Ｂの左右方向の両側に配置されて着座乗員の上体部の側部に当接する部分である。カマチ部２３Ｅは、シートバック２０の上面部及び左右両側面部を覆う部分である。バック上部２３Ｆは、シートバック２０の背面部の上部を覆う部分である。
【００２０】
図３〜図５に示すように、ボード部材３０は、平面視で略矩形状の樹脂板３１の両面を表皮材３２で覆った形体の平板状部材である。樹脂板３１は、可撓性のある板厚が１ｍｍのポリプロピレン製の板材を裁断したものである。また、樹脂板３１は、平面視で左右方向を長尺方向とした略矩形状をしており、左右後方のコーナ部には後述するパーテショントリム４１の前面部の形状に沿うようにＲ形状が施されている。樹脂板３１の材質は、１ｍｍ程度の板厚で、長尺方向の２辺である前辺部３１ａと後辺部３１ｂで支えた場合に、自重で変形しない程度の剛性を備えるとともに、可撓性を備えていればポリプロピレン樹脂に限らず、他の樹脂であってもよい。さらに、同様な剛性、可撓性を備えていれば紙等であってもよい。表皮材３２は、コスト面への配慮から表皮２３ａと同色の合成皮革であるが、表皮２３ａを使用することもできる。２枚の表皮材３２は、外周部に縫い代部分を確保してほぼ樹脂板３１と同形に裁断され、互いに表面側を対向させた状態で重ね合わせ前辺部３１ａの側を除く外周を縫製ライン３３における縫製によって一体化する。一体化された２枚の表皮材３２を前辺部３１ａの側から反転させて表面側を表にし、袋状となった内部に樹脂板３１を後辺部３１ｂから挿入して前辺部３１ａを除く外周を縫製ライン３４における縫製によって一体化する。樹脂板３１の後辺部３１ｂは、表皮材３２によって被覆されてボード部材３０の後端部３０ｂとなる。表皮材３２において、樹脂板３１の前辺部３１ａに対応する側が、特許請求の範囲の「一端部側」に相当し、樹脂板３１の後辺部３１ｂに対応する側が、特許請求の範囲の「他端部側」に相当する。
【００２１】
図５に示すように、バック上部２３Ｆの下端部側にボード部材３０の２枚の表皮材３２を、前辺部３１ａの側を合わせて重ね、縫製ライン３５における縫製によってヒンジ連結して一体化する。このとき、バック上部２３Ｆの下端部側のバックパッド２２側の面には補強プレート２４を重ねて、バック上部２３Ｆといっしょにボード部材３０の２枚の表皮材３２に対して縫製する。補強プレート２４は、樹脂板３１と同じ板厚が１ｍｍのポリプロピレン製の板材を裁断したもので、平面視で左右方向を長尺方向とした矩形状をしている。補強プレート２４の上端部側の前面側には樹脂製のフック２５が縫製により取付けられている。補強プレート２４は、ボード部材３０のバック上部２３Ｆに対するヒンジ部分となる縫製ライン３５の部分を補強するとともにバックフレーム２１に対して固定するための部材である。バックフレーム２１に対する固定は、フック２５が図示しないバックフレーム２１と一体のワイヤに係止されることによって行われる。なお、ボード部材３０は、バックカバー２３がバックパッド２２に被せつけられる前にバック上部２３Ｆに対して取付けられる。ここで、縫製ライン３５が、特許請求の範囲の「取付部」に相当する。また、ボード部材３０の後端部３０ｂが、特許請求の範囲の「摺動部」に相当する。さらに、樹脂板３１が、特許請求の範囲の「板材」に相当する。
【００２２】
図１及び図４に示すように、自動車用リアシート１の後方には車室と荷室を区画するパーテションパネルが配設され、パーテションパネルの前面側にはパーテショントリム４１が取付けられている。パーテショントリム４１は、樹脂成形品の芯材の外観表面に装飾表皮材を貼着したものであり、その材料構成はボード部材３０と同等のものである。パーテショントリム４１は、シートバック２０を倒しかけたときシートバック２０の後面及び左右側面の後側を覆ってカバーするように後方に向かって凹むような形状に形成されている。図２及び図４に示すように、シートバック２０を起立状態に近づけるとシートバック２０の後面上部とパーテショントリム４１の前面上部との間に上面視で左右後方のコーナ部にＲ形状を施した略矩形状の隙間４２が形成される。この隙間４２を覆い隠して上方及び斜め上方からシートバック２０の後面下部とパーテショントリム４１の前面下部が見えないようにするためにボード部材３０が配設される。ここで、パーテショントリム４１が、特許請求の範囲の「乗物ボデー」に相当する。
【００２３】
図１〜図４に示すように、バックパッド２２にバックカバー２３を被せつけた自動車用リアシート１を自動車ボデーの所定位置に取付ける。このとき、ボード部材３０の後端部３０ｂをパーテショントリム４１の前面部に押し当てながら取付ける。これによって、図４に示すように、シートバック２０の傾き位置が標準位置にある場合に、ボード部材３０は、縫製ライン３５をヒンジ軸として（中心として）下方に向けて自重で回動して変位が可能となる。そして、後端部３０ｂがパーテショントリム４１の前面部に当接した状態で回動が止められている。この状態が、ボード部材３０が展開した状態である。
【００２４】
図４〜図８を用いて、シートバック２０の傾動に伴うボード部材３０の動作及びその作用効果について説明する。図４に示すシートバック２０の傾き位置が標準位置にある状態から、シートバック２０を前傾させていくとボード部材３０の後端部３０ｂは、パーテショントリム４１の前面部に当接しながら下方に向けて摺動し図６に示す状態となる。このとき、シートバック２０は後傾角度が最も小さい状態となって最も前後方向に広がった（離隔した）シートバック２０とパーテショントリム４１間の隙間４２が展開したボード部材３０によって覆い隠されシートバック２０の下方が外部から見えなくされている。このとき、図６に示す断面において、ボード部材３０は略水平状態となり縫製ライン３５と後端部３０ｂは、ほぼ同一高さ位置となっている。図４に示すシートバック２０の傾き位置が標準位置にある状態から、シートバック２０を後傾させていくとボード部材３０の後端部３０ｂは、パーテショントリム４１の前面部に当接しながら下方に向けて摺動し図７に示す状態となる。このとき、シートバック２０は後傾角度が最も大きい状態となって最も前後方向に狭まった（近接した）シートバック２０とパーテショントリム４１の間の隙間４２にボード部材３０が挟まれた状態となっている。このとき、図８に示す水平断面のように、ボード部材３０は、その可撓性により変形してシートバック２０の着座面と反対側の面である背面及びパーテショントリム４１の前面部に沿った湾曲した形状となっている。これによって、シートバック２０とパーテショントリム４１間の隙間４２はシートバック２０の後傾角度が最も小さい状態から後傾角度が最も大きい状態の間で展開し、畳まれるボード部材３０によって常に覆い隠され見栄えをよくすることができる。
【００２５】
また、ボード部材３０の自動車ボデーへの取付けは、ボード部材３０をシートバック２０のバック上部２３Ｆに縫製により取付けた状態の自動車用リアシート１をパーテショントリム４１にボード部材３０の後端部３０ｂを当接させた状態で取付ければよい。これによって、ボード部材３０の自動車ボデーへの取付け作業性が良い。また、ボード部材３０は、樹脂板３１が２枚の表皮材３２によって覆われて形成されているので軽量で見栄えが良い。さらに、ボード部材３０は可撓性を備えているのでシートバック２０の背面の凸形状に沿って湾曲して畳まれることができ、シートバック２０とパーテショントリム４１間の隙間が効率よく隠され見栄えが向上する。
【００２６】
なお、図４〜図７において二点鎖線で示すように、補強プレート２４とボード部材３０との間に、ボード部材３０を縫製ライン３５の回りに時計回りに回動付勢するばね部材３６を配設することもできる。これによると、ボード部材３０の後端部３０ｂがより確実にパーテショントリム４１の前面部に押し当てられるので、安定して隙を隠すことができるようになる。
【００２７】
以上、特定の実施形態について説明したが、本発明は、それらの外観、構成に限定されず、本発明の要旨を変更しない範囲で種々の変更、追加、削除が可能である。例えば、次のようなものが挙げられる。
【００２８】
１．上記実施形態においては、取付部である縫製ライン３５をシートバック２０側に配設し、摺動部であるボード部材３０の後端部３０ｂをパーテショントリム４１側に当接させた。しかし、これとは逆に、パーテショントリム４１側に取付部である縫製ライン３５を配設し、摺動部であるボード部材３０の後端部３０ｂをシートバック２０側に当接させてもよい。
【００２９】
２．上記実施形態においては、ボード部材３０をシートバック２０とパーテショントリム４１との間に配設したが、これに限らず、ボード部材３０をシートクッション１０と自動車フロアとの間等他の自動車用シート構成部品と自動車ボデーとの間に配設することもできる。
【００３０】
３．上記実施形態においては、縫製ライン３５を取付部として採用したが、これに限らず、バック上部２３Ｆの表皮２３ａとボード部材３０の表皮材３２とをクリップ等の機械的手段で連結してもよい。また、表皮２３ａと表皮材３２が熱で溶融する性質の材質であるならば熱融着や超音波融着等の手段で連結してもよい。
【００３１】
４．上記実施形態においては、本発明を自動車のシートに適用したが、飛行機、船、電車等に搭載のシートに適用しても良い。
【符号の説明】
【００３２】
１     自動車用リアシート（乗物用シート）
２０   シートバック（構成部品）
２３ａ 表皮
２３Ｆ バック上部
３０   ボード部材
３０ｂ 後端部（摺動部）
３１   樹脂板（板材）
３２   表皮材
３５   縫製ライン（取付部）
３６   ばね部材
４１   パーテショントリム（乗物ボデー）
４２   隙間
【図１】
2018103642.tif 000003
【図２】
2018103642.tif 000004
【図３】
2018103642.tif 000005
【図４】
2018103642.tif 000006
【図５】
2018103642.tif 000007
【図６】
2018103642.tif 000008
【図７】
2018103642.tif 000009
【図８】
2018103642.tif 000010
【図９】
2018103642.tif 000011